【事件の表示】
　特許第３１３１４２７号「室内暖房乾燥装置」の請求項１、２に係る特許に対する特許異議の申立てについて、次のとおり決定する。
【結　論】
　訂正を認める。
　特許第３１３１４２７号の請求項１ないし２に係る特許を維持する。
【理　由】
１．手続の経緯
　特許第３１３１４２７号の請求項１及び請求項２に係る発明についての出願は、平成１１年１１月１５日に特許出願され、平成１２年１１月１７日にその発明について特許権の設定登録がなされ、その後、その特許について、特許異議申立人　能勢　昭彦により特許異議の申立てがなされ、取消しの理由が通知され、その指定期間内である平成１４年１月２９日に訂正請求がなされたものである。
　
２．訂正の適否についての判断
（１）訂正の内容
　特許権者が求めている訂正は、次のとおりである。
・訂正事項ａ
　願書に添付された明細書（以下、「特許明細書」という。）の特許請求の範囲の請求項１の「前記換気通路の室内開口側に固定される取付部材」を「前記換気通路の室内開口側に固定され、前記換気通路の開口部を包含する面積を持つ切欠空間部を備える取付部材」と訂正する。
・訂正事項ｂ
　特許明細書の特許請求の範囲の請求項１の「を備えたことを特徴とする室内暖房乾燥装置。」を「を備え、前記換気通路の開口部を包含する前記切欠空間部の面積により、前記壁に対する前記取付部材の固定位置を選択可能にしたことを特徴とする室内暖房乾燥装置。」と訂正する。
・訂正事項ｃ
　特許明細書の段落【０００７】の記載を、
「本発明の請求項１に係る室内暖房乾燥装置は、室（浴室２）内外を仕切る壁（１２）を貫通して形成された換気通路（６２）と、室外に設置されて熱媒（温水ＨＷ）を加熱する熱源（給湯・追焚装置６）と、前記換気通路の室内開口側に固定され、前記換気通路の開口部を包含する面積を持つ切欠空間部（６５）を備える取付部材（取付板３４）と、この取付部材によって前記換気通路の室内開口側を覆って取り付けられ、かつ、前記壁との間に前記換気通路及び室内に通じる隙間（６４）が設けられ、前記換気通路に配設した管路（循環路１８）を通して循環する前記熱媒から放熱させる放熱ユニット（１４）と、前記換気通路の室外開口側を覆って設置されるとともに前記管路を通過させ、前記換気通路及び前記隙間を介して前記室内に連通し、ファン（４９）を以て排気部（５４）から排気して前記室内を換気する換気ユニット（２０）とを備え、前記換気通路の開口部を包含する前記切欠空間部の面積により、前記壁に対する前記取付部材の固定位置を選択可能にしたことを特徴とする。」と訂正する。
・訂正事項ｄ
　特許明細書の段落【０００８】の記載を、
「このような構成とすれば、放熱ユニットと換気ユニットとは独立した構成であり、放熱ユニットは室内に設置され、換気ユニットは室外に設置される。即ち、放熱ユニットは熱源から熱媒を循環させ、その放熱により室内の空気が暖められる。この結果、室内暖房又は浴室等において衣類乾燥を行うことができる。また、換気ユニットは放熱ユニットとは独立して室外に設置され、換気通路を通して室内の空気を室外に強制的に導き、室内の換気を行うことができる。例えば、浴室において、換気ユニットを設置しない場合には、既存の換気扇を利用することにより、衣類乾燥時の湿気を浴室外に排出することができる。また、換気通路の開口部を包含する切欠空間部の面積により、壁に対する取付部材の固定位置を選択でき、放熱ユニットの固定位置の自由度が高められる。」と訂正する。
　
（２）訂正の目的の適否、新規事項の有無及び拡張・変更の存否
・訂正事項ａ、訂正事項ｂについて
　訂正事項ａ及び訂正事項ｂに関して、特許明細書の段落【００１７】には、「壁１２に形成された貫通口１６に対応し、その貫通口１６の室内側の開口面を覆うように放熱ユニット１４が設置され、この放熱ユニット１４は壁１２に固定された取付板３４によって強固に固定されている。」こと、段落【００１９】には、「換気ダクト５２は、貫通口１６に設置されて換気通路６２を形成するとともに、往き管４６及び戻り管４８の貫通路を成している。」こと、段落【００２０】には、「図３に示すように、浴室２の内壁面に取り付けられる取付板３４には、中央に貫通口１６の位置に対応する切欠空間部６５が形成され、上縁側に複数の固定突片６６、下縁側に複数の固定片６８が形成されている。即ち、切欠空間部６５は、図４に示すように、貫通口１６の形状や位置を包含する面積を持っており、放熱ユニット１４の固定位置の自由度が高められている。また、７０は固定ねじ用の透孔である。」こと、が記載されている。
　したがって、特許明細書には、壁１２に形成された貫通口１６を換気通路とし、その換気通路の開口部を包含する面積を持つ切欠空間部６５が形成された取付板３４を壁に取り付け、この取付板３４に放熱ユニット１４を固定し、該放熱ユニット１４の固定位置が壁に取り付けられる取付板３４の固定位置によって、自由（選択可能）に取り付けられるものが記載されているものといえる。
　そうしてみると、訂正事項ａ及び訂正事項ｂは、特許明細書に記載された事項の範囲内において、「取付部材」についての構成を限定したものといえるから、特許請求の範囲の減縮を目的とした明細書の訂正に該当し、新規事項の追加に該当せず、実質上特許請求の範囲を拡張し、又は変更するものではない。
・訂正事項ｃ、訂正事項ｄについて
　訂正事項ｃ及び訂正事項ｄは、それぞれ上記訂正事項ａ、訂正事項ｂとに整合を図るものであるから、明りょうでない記載の釈明を目的とした訂正に該当し、いずれも、新規事項の追加に該当せず、実質上特許請求の範囲を拡張し、又は変更するものではない。
　
（３）むすび
　したがって、上記訂正は、特許法第１２０条の４第２項及び同条第３項で準用する同法第１２６条第２項から第４項までの規定に適合するので、当該訂正を認める。
　
３．特許異議の申立てについての判断
（１）本件発明
　上記２．で検討したように、上記訂正が認められるから、本件特許第３１３１４２７号の請求項１、請求項２に係る発明（以下、請求項１に係る発明を「本件発明１」、請求項２に係る発明を「本件発明２」という。）は、それぞれ上記訂正に係る訂正明細書の特許請求の範囲の請求項１、請求項２に記載された事項により特定される次のとおりのものである。
　
「【請求項１】室内外を仕切る壁を貫通して形成された換気通路と、室外に設置されて熱媒を加熱する熱源と、前記換気通路の室内開口側に固定され、前記換気通路の開口部を包含する面積を持つ切欠空間部を備える取付部材と、この取付部材によって前記換気通路の室内開口側を覆って取り付けられ、かつ、前記壁との間に前記換気通路及び室内に通じる隙間が設けられ、前記換気通路に配設した管路を通して循環する前記熱媒から放熱させる放熱ユニットと、前記換気通路の室外開口側を覆って設置されるとともに前記管路を通過させ、前記換気通路及び前記隙間を介して前記室内に連通し、ファンを以て排気部から排気して前記室内を換気する換気ユニットと、を備え、前記換気通路の開口部を包含する前記切欠空間部の面積により、前記壁に対する前記取付部材の固定位置を選択可能にしたことを特徴とする室内暖房乾燥装置。
【請求項２】前記換気ユニットの前記排気部に室外側の逆風を遮断する逆風ダンパを備えたことを特徴とする請求項１記載の室内暖房乾燥装置。」
　
（２）特許異議申立ての概要
　特許異議申立人　能勢　昭彦は、甲第１号証（特公平２−８２２１号公報）、甲第１号証の２（特開昭６０−１３８３４３号公報）、甲第１号証の３（特開昭５７−１５５０４３号公報）、甲第２号証（特開平１−２９１０３６号公報）、甲第２号証の２（実願昭５８−３３０１９号（実開昭５９−１３９６５９号）のマイクロフィルム）、甲第２号証の３（実願昭５２−１１３０４０号（実開昭５４−３９９４９号）のマイクロフィルム）を提出し、甲第１号証の２及び甲第１号証の３を周知例として挙げるとともに、特許明細書の請求項１に係る発明は、甲第１号証に記載された発明であり、また、同じく請求項２に係る発明は、甲第２号証、甲第２号証の２又は甲第２号証の３に記載された発明であるから、特許法第２９条第１項第３号の規定に違反してなされたものであり、さらに、特許明細書の請求項１及び請求項２に係る発明は、甲第１号証及び甲第２号証に記載された発明に基づいて、当業者が容易に発明をすることができたものであるから、特許法第２９条第２項の規定に違反してなされたものであり、特許を取り消すべき旨の主張をしている。
　
（３）甲号各証に記載された発明及び当審の取消しの理由に引用した刊行物に記載された発明
　特許異議申立人の提出した甲第１号証（当審の取消しの理由に引用した刊行物１に相当する）には、換気機能を備えた空気調和機に関して、図面とともに、「従来、この種の空気調和機は、冷暖房用の空気調和機と、…（中略）…換気装置と冷暖房装置とを同一の本体内に収納したものである…（中略）…吸排気用の孔や室内、室外ユニットを接続する配管貫通孔をそれぞれ独立して設けなければならず…（中略）…工事性に問題があった。」（第１欄第２０行〜同第２７行）こと、「本発明は、上記従来の空気調和機にみられる欠点を解消し、室内外を連接する孔を単一とし、…（中略）…取付作業等の工事性を向上する」（第２欄第５行〜同第９行）こと、「１は空気調和機の室内ユニット１で、室外ユニット２と接続配管１１で接続されている。室内ユニット１内には、室内側熱交換器３、ファン４が構成され、また室内ユニット２内には、室外熱交換器５、ファン６、圧縮機７が配設され、通常のヒートポンプ式冷凍装置として構成されている。室外２５には全熱交換器９を具備した換気装置１０が設けられており、室内８、室外７を区別する壁２６を貫通する貫通ダクト１２が設置され、室内８側の貫通ダクト１２は、室内ユニット１を据付ける取付材１３が接続されている。室内ユニット１は、前記取付材１３の上部に設けられたＬ部１３ａによって引っかけられるようになっている。貫通ダクト１２は吸気用通路１４と排気用通路１５、配管用通路１６とに３分割されて」（第２欄第１３行〜第３欄第１行）いること、「室内８のよごれた空気は、点線矢印Ｂのように取付材１３の上部にあけられた吸い込み孔２０より吸い込まれ、排気用通路１５を通り、全熱交換器９で熱交換したのち、モータ１７で回転する排気用ファン２１によって室外１９へ排気される。」（第３欄第６行〜同第１１行）こと、「本発明における分離形空気調和機の取付装置は、室内ユニットと室外ユニットを接続する接続配管、室内空気を室外に導く排気用通路及び室外空気を室内に導く吸気用通路を単一の貫通ダクトで構成しているため、室内外を区画する壁に単一の孔を開けるだけでよく、さらにこの貫通ダクトの室外側に換気装置を、室内側に空気調和機の室内ユニットを取付ける取付材を接続することにより分離形空気調和機の取付作業が向上する。」（第３欄第２１行〜第４欄第３行）こと、が記載されている。
　同じく甲第１号証の２には、換気機能付空調機に関して、図面とともに、「室内機の背面と室内上部壁面との間に吸気用チャンバと排気用チャンバがそれぞれ前記壁面と対向するように配置し、前記両チャンバを屋外の上部壁面に配置される空調換気扇と吸排気ダクトで接続したことを特徴とする換気機能付空調機。」（特許請求の範囲の記載事項）であること、「空調換気扇１は壁２の屋外側壁面の上部に取付けている。３は室内外壁面の上部に設けた換気チャンバであり、壁２を貫通して設けた吸排気用ダクト４で空調換気扇１に接続している。」（第２頁上段左欄第２行〜同第６行）こと、が記載されている。
　同じく甲第１号証の３には、空気調和熱交換型換気扇に関して、図面とともに、「空気調和機８は壁９にスペーサ１０を介してねじ１１により排気用開口１２を設けて取付けられている。１３は熱交換型換気扇１４の本体で、排気用吸込口１６、排気用吐出口１７、給気用吸込口１８、給気用吐出口１９を有し、熱交換型換気扇１４の本体１５内部には電動機２０により駆動される排気用羽根２１、給気用羽根２２及び、平板２３ととなりあう波板２４とが波の方向が直交するように交互に積層された全熱交換器２５を有し全体として熱交換型換気扇１４を形成する。」（第２頁上段左欄第１６行〜同左欄第６行）こと、が記載されている。
　同じく甲第２号証には、浴室用換気扇に関して、図面とともに、「枠体１０１の排気側には換気扇停止時に閉じるシャッター１０５を設け、」（第１頁下段右欄第３行〜同第４行）ること、が記載されている。
　同じく甲第２号証の２（当審の取消しの理由で引用した刊行物４に相当する）には、逆風防止ダンパーに関して、図面ともに、「従来の逆風防止ダンパーは第１図〜第４図に示す如く、風胴１内に設けられるダンパー２は、ダンパー２に設けられた軸受部３に風胴１を貫通する支持具４を挿入して風胴１内にダンパー２を開閉自在に設けている。そして逆風によりダンパー２が開放しないように風胴１にねじ５を螺合し、このねじ５でダンパー２を受け止めていた。」（第１頁第１４行〜同第２０行）こと、「また送風機の運転が停止され、風胴６内に矢印方向の空気が流れていない状態においては、矢印方向とは逆に屋外側より外気等が侵入しようとしても、その風圧によりダンパー７は風胴６内に突出している支持具９の短軸１１に当り、ダンパー７は開放されず、そのため逆風が侵入するのが防止されるのである。」（第３頁第１８行〜第４頁第４行）こと、が記載されている
　同じく甲第２号証の３には、風呂の湯水利用装置に関して、「浴槽中の湯水を送水ポンプにより熱交換装置を通して循環させ、上記熱交換装置によって得られる熱エネルギーを利用するように構成した風呂の湯水利用装置。」（実用新案登録請求の範囲（１）の記載事項）が、記載されている。
　当審が取消しの理由で引用した刊行物２（特開平３−４５８３７号公報）には、スプリット形の空気調和装置に関して、図面とともに、「隔壁１１には室内Ａと室内Ｂとを貫通する穴１７が設けられ、この穴１７には一方が室内Ａに開口され、他方が前記室外機１６の室外熱交換器１５等の熱発生部に向かって開口される逆Ｌ字形のダクト１８が取付けられている。この逆Ｌ字形のダクト１８の隅部１８ａには正逆回転する電動機１９により回転される送風翼２０を有する換気用送風機２１が取付けられている。また、前記逆Ｌ字形のダクト１８には一端が室外機１６に接続され、他端が室外機１３の室内熱交換器に接続された液側冷媒配管２２ａおよびガス側冷媒配管２２ｂが層通されている。」（第２頁下段右欄第３行〜同第１４行）こと、「なお、前記換気用送風機２１は、逆回転させて室内空気を室外に排気させるような換気運転を行い室内空気を換気するようにしてもよい。このように本発明空気調和装置では、換気用ダクトと冷媒配管用ダクトとを１つにし、このダクトに換気用送風機と冷媒配管を配設するようにしたから、隔壁に明けるダクトが１つで済むので工事が少なくなりかつ室内の美観も損なわれない。」（第３頁上段右欄第７行〜同第１４行）こと、が記載されている。
　同じく刊行物３（実願昭５７−１９２１６６号（実開昭５９−９６５２０号）のマイクロフィルム）には、逆風侵入防止用ダンパー装置に関して、図面とともに、「本考案はダクト型の排気扇等において、そのダクト内に装備される逆風侵入防止用ダンパー装置に関するもので、更に詳細には、排風時の風圧によりダンパーが開らかれ、排風ファンの停止によってダンパーが自重で閉じられるようにした式の逆風侵入防止用ダンパー装置に関するものである。」（第１頁第１４行〜同第１９行）こと、が記載されている。
　
（４）対比・判断
　そこで、本件発明１、本件発明２と、特許異議申立人の提出した甲第１号証、甲第１号証の２、甲第１号証の３、甲第２号証、甲第２号証の２、甲第２号証の３、及び当審の取消しの理由で引用した刊行物２、刊行物３に記載された発明とを対比して、検討する。
　
・本件発明１について
　本件発明１と上記甲第１号証に記載された発明とを対比し、検討する。
　上記甲第１号証に記載された分離形空気調和機の取付装置は、従来の空気調和機が冷暖房装置と換気装置とを同一本体に具備していたものを、換気装置を分離して室外に設置し、壁に設けられた貫通ダクトを介して空気調和機の室内ユニットと連通するようにして、取付作業等の工事性を向上させたものであるから、本件発明１における、暖房と換気とを独立した構成として、設置ないし施工の自由度を高めるという発明の課題において共通しているものといえる。
　そして、上記上記甲第１号証に記載された空気調和機は冷暖房用のものであって、暖房時においては、室外ユニット２の圧縮機７は接続配管１１を流れる冷媒を圧縮して高温の冷媒にするものということができるから、「室外ユニット２の圧縮機７」の構成は、本件発明１の「室外に設置されて熱媒を加熱する熱源」に相当している。また、上記甲第１号証に記載された、「貫通ダクト１２の吸気用通路１４と排気用通路１５」、「取付材１３」、「吸い込み孔２０」、「接続配管１１」、「室内ユニット１」、「換気装置１０」は、それぞれ本件発明１の、「換気通路」、「取付部材」、「隙間」、「管路」、「放熱ユニット」、「換気ユニット」に相当するものといえるから、両者は、
「室内外を仕切る壁を貫通して形成された換気通路と、室外に設置されて熱媒を加熱する熱源と、前記換気通路の室内開口側に固定される取付部材と、この取付部材によって前記換気通路の室内開口側を覆って取り付けられ、かつ、前記壁との間に前記換気通路及び室内に通じる隙間が設けられ、管路を通して循環する前記熱媒から放熱させる放熱ユニット、前記換気通路の室外開口側を覆って設置されるとともに、前記換気通路及び前記隙間を介して前記室内に連通し、ファンを以て排気部から排気して前記室内を換気する換気ユニットと、を備えた室内暖房装置。」
おいて一致しているものといえる。
　
　しかし、次の点で相違している。
・相違点１
　本件発明１は、「室内暖房乾燥装置」というものであるから、実施例に示されたように洗濯物等の衣類を乾燥させるような乾燥機能を積極的に備えたものといえるのに対して、上記甲第１号証に記載されたものは空気調和機であるから、除湿機能作動時、あるいは暖房時にはある程度の室内を乾燥させることはあるものの本件発明１のような乾燥機能があるとはいえない点。
・相違点２
　「取付部材」について、本件発明１は、「前記換気通路の開口部を包含する面積を持つ切欠空間部を備える」のに対して、上記甲第１号証に記載されたものは、「室内８側の貫通ダクト１２は、室内ユニット１を据付ける取付材１３が接続されている。」とあるように、貫通ダクト１２と取付材１３とが接続されている点。
・相違点３
　本件発明１は、管路が換気通路に配設されているのに対して、上記甲第１号証に記載された管路は、貫通ダクト１２を３分割して専用の配管用通路１６に配設されている点。
　
　そこで、この相違点を検討する。
・相違点１について
　浴室室内を暖房乾燥させ、衣類の乾燥をさせる浴室暖房乾燥装置は周知の技術であるとともに、換気機能を備えた浴室暖房乾燥装置についても、本件特許権者も特開平１１−３７４９０号公報を挙げて、特許明細書の従来の技術の項で説明している。
　そうしてみると、「室内暖房乾燥装置」が格別なものとはいえないから、甲第１号証に記載された空気調和装置に代えて本件発明１のような室内暖房乾燥装置とすることは、当業者が容易になし得るものといえる。
・相違点２について
　上記甲第１号証の２に記載されたものは、図面の第２図の構成から、換気チャンバー３のダクト接続口３ｅに吸排気用ダクト４が接続されたものであり、また、上記甲第１号証の３に記載されたものは、空気調和機本体１をスペーサ１０を介してねじ１１によって直接壁９に取り付けているものであるから、いずれも本件発明１のように取付部材の構成が示されているとはいえないし、さらに、甲第２号証、甲第２号証の２、甲第２号証の３、当審の取消しの理由で引用した刊行物２、３を検討しても、取付部材を壁を貫通して形成された換気通路の開口部を包含するように設置するものは記載も示唆もされていない。
　そして、本件発明１は、この相違点２の構成を備えることによって、取付部材と換気通路とが接続されることがないから、この取付部材に固定される放熱ユニットの「固定位置の自由度が高められている」（訂正明細書段落【００２０】）という効果を奏するものといえる。
・相違点３について
　当審の取消しの理由で引用した刊行物２には、空気調和装置において、換気用ダクトと冷媒配管用ダクトとを１つにし、換気用と冷媒配管を共通ダクトとするものが示されており、このダクトの構成を、本件発明１のような室内暖房乾燥装置の換気通路と熱媒用の管路とに適用することが、格別困難なものであるとはいえないから、相違点３の構成は当業者が容易になし得るものといえる。
　
　したがって、本件発明１は、上記相違点２の構成が、特許異議申立人の提出した甲号各証及び当審の取消しの理由で引用した刊行物２、３には記載も示唆もされていないから、これらの刊行物に記載されたものに基づいて当業者が容易に発明をすることができたものということはできない。
　
・本件発明２について
　甲第２号証の２、当審の取消しの理由で引用した刊行物４によって、屋外からの逆風を防止するために、逆風防止ダンパーを設けるものが周知の技術であるとしても、本件発明２は、本件発明１を引用して、更に、「前記換気ユニットの前記排気部に室外側からの逆風を遮断する逆風ダンパーを備えた」ものであるから、本件発明１は、上記したように相違点２の構成によって、特許異議申立人の提出した甲号各証及び当審の取消しの理由で引用した刊行物２、３に記載されたものに基づいて当業者が容易に発明をすることができたものでない以上、本件発明２についても、特許異議申立人の提出した甲号各証及び当審の取消しの理由で引用した刊行物２、３に記載されたものに基づいて当業者が容易に発明をすることができたものということはできない。
　
（５）むすび
　以上のとおりであるから、特許異議の申立ての理由によっては本件発明１及び本件発明２についての特許を取り消すことはできない。
　また、他に本件発明１及び本件発明２についての特許を取り消すべき理由を発見しない。
　よって、結論のとおり決定する。
【異議決定日】
平成１４年３月１４日（２００２．３．１４）
【訂正の要旨】
　特許権者が求めている訂正は、次のとおりである。
・訂正事項ａ
　願書に添付された明細書（以下、「特許明細書」という。）の特許請求の範囲の請求項１の「前記換気通路の室内開口側に固定される取付部材」を「前記換気通路の室内開口側に固定され、前記換気通路の開口部を包含する面積を持つ切欠空間部を備える取付部材」と訂正する。
・訂正事項ｂ
　特許明細書の特許請求の範囲の請求項１の「を備えたことを特徴とする室内暖房乾燥装置。」を「を備え、前記換気通路の開口部を包含する前記切欠空間部の面積により、前記壁に対する前記取付部材の固定位置を選択可能にしたことを特徴とする室内暖房乾燥装置。」と訂正する。
・訂正事項ｃ
　特許明細書の段落【０００７】の記載を、
「本発明の請求項１に係る室内暖房乾燥装置は、室（浴室２）内外を仕切る壁（１２）を貫通して形成された換気通路（６２）と、室外に設置されて熱媒（温水ＨＷ）を加熱する熱源（給湯・追焚装置６）と、前記換気通路の室内開口側に固定され、前記換気通路の開口部を包含する面積を持つ切欠空間部（６５）を備える取付部材（取付板３４）と、この取付部材によって前記換気通路の室内開口側を覆って取り付けられ、かつ、前記壁との間に前記換気通路及び室内に通じる隙間（６４）が設けられ、前記換気通路に配設した管路（循環路１８）を通して循環する前記熱媒から放熱させる放熱ユニット（１４）と、前記換気通路の室外開口側を覆って設置されるとともに前記管路を通過させ、前記換気通路及び前記隙間を介して前記室内に連通し、ファン（４９）を以て排気部（５４）から排気して前記室内を換気する換気ユニット（２０）とを備え、前記換気通路の開口部を包含する前記切欠空間部の面積により、前記壁に対する前記取付部材の固定位置を選択可能にしたことを特徴とする。」と訂正する。
・訂正事項ｄ
　特許明細書の段落【０００８】の記載を、
「このような構成とすれば、放熱ユニットと換気ユニットとは独立した構成であり、放熱ユニットは室内に設置され、換気ユニットは室外に設置される。即ち、放熱ユニットは熱源から熱媒を循環させ、その放熱により室内の空気が暖められる。この結果、室内暖房又は浴室等において衣類乾燥を行うことができる。また、換気ユニットは放熱ユニットとは独立して室外に設置され、換気通路を通して室内の空気を室外に強制的に導き、室内の換気を行うことができる。例えば、浴室において、換気ユニットを設置しない場合には、既存の換気扇を利用することにより、衣類乾燥時の湿気を浴室外に排出することができる。また、換気通路の開口部を包含する切欠空間部の面積により、壁に対する取付部材の固定位置を選択でき、放熱ユニットの固定位置の自由度が高められる。」と訂正する。
（５４）【発明の名称】
室内暖房乾燥装置
（５７）【特許請求の範囲】
　【請求項１】　室内外を仕切る壁を貫通して形成された換気通路と、
　室外に設置されて熱媒を加熱する熱源と、
　前記換気通路の室内開口側に固定され
、前記換気通路の開口部を包含する面積を持つ切欠空間部を備え
　この取付部材によって前記換気通路の室内開口側を覆って取り付けられ、かつ、前記壁との間に前記換気通路及び室内に通じる隙間が設けられ、前記換気通路に配設した管路を通して循環する前記熱媒から放熱させる放熱ユニットと、
　前記換気通路の室外開口側を覆って設置されるとともに前記管路を通過させ、前記換気通路及び前記隙間を介して前記室内に連通し、ファンを以て排気部から排気して前記室内を換気する換気ユニットと、
　を備え
、前記換気通路の開口部を包含する前記切欠空間部の面積により、前記壁に対する前記取付部材の固定位置を選択可能にした
　【請求項２】　前記換気ユニットの前記排気部に室外側の逆風を遮断する逆風ダンパを備えたことを特徴とする請求項１記載の室内暖房乾燥装置。
【発明の詳細な説明】
　【０００１】
　【発明の属する技術分野】
　本発明は、温水を熱媒として浴室等の室内における暖房や乾燥に用いられる室内暖房乾燥装置に関する。
　【０００２】
　【従来の技術】
　給湯装置を熱源とする浴室暖房乾燥装置は、温水を熱媒として浴室内暖房や衣類乾燥等に利用されている。冬期においては、浴室と湯温との温度差を少なくすることが快適である。この種の関連技術として、特開平１１−３７４９０号「浴室暖房乾燥装置」があり、これは、壁掛け式の浴室暖房乾燥装置の施工上の簡略化を狙って排気口と配管口を共通化したものである。
　【０００３】
　【発明が解決しようとする課題】
　ところで、この種の暖房乾燥装置においては、室内換気のため、換気用ファンが必要であり、浴室暖房乾燥装置を設置する壁面に換気用の連絡口を設ける必要がある。壁内に筋交い等の補強部材があると、連絡口の形成はこれらを回避する必要があり、浴室暖房乾燥装置を設置する場所が制限される。
　【０００４】
　また、従来の浴室暖房乾燥装置は、暖房及び換気の双方の機能を一体的に実現したものであり、暖房か又は暖房及び換気の双方かの何れか一方を選択して設置することができないものであった。
　【０００５】
　そこで、本発明は、室内の暖房と換気とを独立した構成とし、暖房、又は暖房及び換気を選択可能にして設置ないし施工の自由度を高めた室内暖房乾燥装置を提供することを目的とする。
　【０００６】
　【課題を解決するための手段】
　本発明は、室（浴室２）内に設置すべき放熱ユニット（１４）に対し、換気ユニット（２０）を独立させて放熱ユニットの単体又は放熱ユニット及び換気ユニットの双方を選択して設置できるとともに、換気ユニットを室外に設置して室内の空気を強制的に換気可能にしたものである。かかる構成により、設置ないし施工の自由度を高め、暖房及び乾燥機能を高めることができる。
　【０００７】
　本発明の請求項１に係る室内暖房乾燥装置は、室（浴室２）内外を仕切る壁（１２）を貫通して形成された換気通路（６２）と、室外に設置されて熱媒（温水ＨＷ）を加熱する熱源（給湯・追焚装置６）と、前記換気通路の室内開口側に固定され
、前記換気通路の開口部を包含する面積を持つ切欠空間部（６５）を備え
、前記換気通路の開口部を包含する前記切欠空間部の面積により、前記壁に対する前記取付部材の固定位置を選択可能にした
　【０００８】
　このような構成とすれば、放熱ユニットと換気ユニットとは独立した構成であり、放熱ユニットは室内に設置され、換気ユニットは室外に設置される。即ち、放熱ユニットは熱源から熱媒を循環させ、その放熱により室内の空気が暖められる。この結果、室内暖房又は浴室等において衣類乾燥を行うことができる。また、換気ユニットは放熱ユニットとは独立して室外に設置され、換気通路を通して室内の空気を室外に強制的に導き、室内の換気を行うことができる。例えば、浴室において、換気ユニットを設置しない場合には、既存の換気扇を利用することにより、衣類乾燥時の湿気を浴室外に排出することができる。
また、換気通路の開口部を包含する切欠空間部の面積により、壁に対する取付部材の固定位置を選択でき、放熱ユニットの固定位置の自由度が高められる。
　【０００９】
　そして、放熱ユニットの背面側の壁に換気通路を形成し、この換気通路に通じる放熱ユニットと壁との隙間を通して換気ユニットによる換気を行うので、換気口を複数形成する必要はなく、設置ないし施工の自由度を高め、暖房及び乾燥機能を高めることができる。
　【００１０】
　【００１１】
　また、浴室等の室内外を仕切る壁の任意の位置に換気通路を形成し、この換気通路の室内側に取付部材によって放熱ユニットを取り付け、この放熱ユニットと熱源とを連結する管路を換気通路に通し、室内側に放熱ユニット、室外側に換気ユニットを設置する。即ち、放熱ユニットから換気ユニットを独立させて室外に設置したことにより、両者の設置ないし施工位置の自由度が高められるとともに、放熱ユニットのコンパクト化をも図ることができる。
　また、請求項２に係る本発明の室内暖房乾燥装置は、前記換気ユニットの前記排気部に室外側の逆風を遮断する逆風ダンパ（５６）を備えたことを特徴とする。即ち、換気ユニットの排気部に逆風ダンパを設けることにより、逆風による室内換気の悪化を防止できる。
　【００１２】
　【発明の実施の形態】
　以下、本発明を図面に示した実施の形態を参照して詳細に説明する。
　【００１３】
　図１ないし図５は、本発明の室内暖房乾燥装置の実施の形態を示し、図１は暖房システムを示す系統図、図２は室内暖房乾燥装置の設置形態を示す図、図３はその分解斜視図、図４は取付板を示す平面図、図５は給湯・追焚経路を示す図である。暖房及び乾燥をすべき空間として浴室２には浴槽４が設置され、この浴槽４に給湯を行うとともに浴槽４内の湯水を加熱する追焚を行う手段として給湯・追焚装置６が浴室２の外部に設置されている。浴室２の内壁部には給湯・追焚装置６を遠隔操作するリモコン装置８が取り付けられ、浴室２の外部、例えば、台所等にもリモコン装置１０が設置されている。
　【００１４】
　浴室２を仕切る壁１２の内面部には、給湯・追焚装置６を熱源として放熱して浴室２内の空気を加熱する放熱ユニット１４が取り付けられている。壁１２にはその内外に貫通する貫通口１６が設けられており、この貫通口１６を通して放熱ユニット１４と給湯・追焚装置６との間に往き管及び戻り管の管路を成す循環路１８が連結されており、この循環路１８を通じて熱媒として温水ＨＷが放熱ユニット１４に循環する。
　【００１５】
　また、壁１２の外面部、即ち、屋外に面した外壁には、浴室２を換気する換気ユニット２０が設置され、この換気ユニット２０は貫通口１６及び放熱ユニット１４の背面側等で形成される換気通路を通して浴室２の換気を行う。
　【００１６】
　この実施の形態では、給湯・追焚装置６が他の熱源としても利用されており、床暖房用の室内ユニット２２、２４及び送風暖房用の室内ユニット２５にも給湯管２６、２８、２９を通して温水ＨＷが供給され、３０、３２は給湯・追焚装置６を遠隔操作するためのリモコン装置を示している。
　【００１７】
　そして、図２に示すように、壁１２に形成された貫通口１６に対応し、その貫通口１６の室内側の開口面を覆うように放熱ユニット１４が設置され、この放熱ユニット１４は壁１２に固定された取付板３４によって強固に固定されている。この放熱ユニット１４の前面パネル３６の上部側に温風の吹出部３８、その下部側に吸気部４０が設けられ、その内部には、熱交換手段であるラジエータ４２が設置されているとともに、吸気及び送風手段としてファン４４が設置されている。ラジエータ４２には、熱源である給湯・追焚装置６から循環手段である往き管４６、戻り管４８を通じて熱媒である温水ＨＷが循環されている。したがって、放熱ユニット１４は、ファン４４によって吸引した室内空気を加熱し、吹出部３８から温風を室内に吹き出す。
　【００１８】
　また、屋外に設置される換気ユニット２０は、壁１２に固定された取付板３５によって強固に固定されている。この換気ユニット２０は、ファン４９を内蔵した外装体５０の背面部に円筒状の換気ダクト５２が連結され、前面側に排気部５４を形成し、排気部５４の内部に逆風ダンパ５６を備えている。逆風ダンパ５６には、排気時、その排気によって開き、強風による逆風を阻止するため、ストッパ５８が設けられている。
　【００１９】
　貫通口１６には、浴室２側から壁面防護用のパイプ６０が挿入されており、このパイプ６０の内部に換気ダクト５２が挿入されて固定されている。即ち、換気ダクト５２は、貫通口１６に設置されて換気通路６２を形成するとともに、往き管４６及び戻り管４８の貫通路を成している。そして、換気通路６２には、放熱ユニット１４、放熱ユニット１４と壁１２との間の隙間６４も含まれる。
　【００２０】
　そして、図３に示すように、浴室２の内壁面に取り付けられる取付板３４には、中央に貫通口１６の位置に対応する切欠空間部６５が形成され、上縁側に複数の固定突片６６、下縁側に複数の固定片６８が形成されている。即ち、切欠空間部６５は、図４に示すように、貫通口１６の形状や位置を包含する面積を持っており、放熱ユニット１４の固定位置の自由度が高められている。また、７０は固定ねじ用の透孔である。
　【００２１】
　また、取付板３５は、図３に示すように、換気ユニット２０のユニット本体７１を固定するための固定溝７２、７４を備え、中央に換気ダクト５２を貫通させるための透孔７６が形成されている。ファン４９はユニット本体７１の内部に取り付けられており、ユニット本体７１にはその周囲を覆う外装体５０が取り付けられる。
　【００２２】
　次に、給湯・追焚経路について説明すると、図５に示すように、給湯・追焚装置６には、暖房用熱交換器７８、給湯用熱交換器８０が設けられ、各熱交換器７８、８０には個別にバーナ８２、８４が設けられている。ガス供給管８６を通じて供給されるガスＧは、開閉弁８８を通してバーナ８２、８４側に振り分けられ、開閉弁９０及び比例弁９２を通してバーナ８２、開閉弁９４及び比例弁９６を通してバーナ８４に供給される。即ち、暖房用熱交換器７８と給湯用熱交換器８０とは独立して加熱される。
　【００２３】
　管路９８側への給水Ｗは給湯用熱交換器８０によって加熱され、管路１００又は管路１０２を通して給湯される。給湯用熱交換器８０の出口側の温水ＨＷの温度は給湯温度センサ１０３で検出され、管路１０２を通過する温水量は流量センサ１０５で検出される。また、管路１０４側への給水Ｗは、開閉弁１０６を通して貯水手段である補給タンク１０８に補給され、この補給タンク１０８内の熱媒としての温水ＨＷ（又は給水Ｗ）は、矢印Ａ、Ｂで示すように、管路１１０及びポンプ１１２を通して暖房用熱交換器７８に流れ、暖房用熱交換器７８から、矢印Ｃ、Ｄで示すように、往き管４６から放熱ユニット１４のラジエータ４２を通過して戻り管４８を通して、矢印Ｅ、Ｆで示すように、補給タンク１０８に戻る。暖房用熱交換器７８の出口側の温水ＨＷの温度は温度センサ１１３で検出される。往き管４６を流れる熱媒としての温水ＨＷは分岐部１１６を通して室内ユニット２５に供給される。矢印ａは吸気、矢印ｂは温風、矢印ｃ、ｄは換気を示している。管路１１０には管路１１８が分岐されており、矢印Ｈで示すように、この管路１１８の分岐部１２０を通して温水ＨＷが室内ユニット２２、２４に供給される。管路１１８を通過する温水ＨＷの温度は、温度センサ１２１で検出される。この場合、室内ユニット２２、２４には例えば６０℃程度の低温暖房用の温水、室内２５には例えば８０℃程度の高温暖房用の温水が供給される。そして、戻り管４８には分岐部１１９が設けられ、室内ユニット２２、２４、２５等を循環した熱媒としての温水が矢印Ｉで示すように、同様の経路で補給タンク１０８に戻る。なお、一般給湯は、矢印Ｊ、Ｋで示すように、給湯用熱交換器８０で上水を加熱して行われる。
　【００２４】
　管路１０２からの温水ＨＷは、上水との縁切手段であるホッパ１２２、給湯弁１２４及び追焚用熱交換器１２６から往き管１２８を通して浴槽４に給湯される。また、給湯弁１２４が閉止しているとき、浴槽４の湯水は、矢印Ｌ、Ｍで示すように、戻り管１３０及びポンプ１３２を通して追焚用熱交換器１２６に流れて吸熱した後、往き管１２８を通して浴槽４に戻され、追焚循環が行われる。追焚用熱交換器１２６は往き管４６及び戻り管４８のバイパス管１１４を矢印Ｎの方向に通過する熱媒としての温水ＨＷから熱を吸収する。浴槽４内の湯水の温度は、戻り管１３０を通して追焚温度センサ１３１で検出される。
　【００２５】
　次に、この室内暖房乾燥装置の動作を説明する。
　【００２６】
　この室内暖房乾燥装置では、放熱ユニット１４と換気ユニット２０とは独立した構成であり、放熱ユニット１４単体の設置、又は、放熱ユニット１４及び換気ユニット２０の設置の何れかを選択することが可能である。即ち、浴室２に既存の換気扇がある場合には、換気ユニット２０は不要であり、放熱ユニット１４の単体で暖房及び乾燥を行うことができる。
　【００２７】
　暖房動作では、バーナ８２を燃焼させて暖房用熱交換器７８を通して熱媒である温水ＨＷを加熱し、８０℃程度の高温に加熱する。この温水ＨＷを往き管４６及び戻り管４８を通して放熱ユニット１４に循環させるとともに、図６に示すように、ファン４４の回転により浴室２内の空気をラジエータ４２に循環させ、空気の加熱を行う。矢印ａ、ｂは暖房時の空気の流れを示している。即ち、ファン４４によって吸気部４０から吸引された空気はラジエータ４２を通過することにより加熱され、温風が吹出部３８から室内に吹き出される。
　【００２８】
　この暖房時において、浴室２内で洗濯物の乾燥が可能である。なお、熱媒としての温水ＨＷは室内ユニット２２、２４、２５に循環させ、各室内の暖房を行うことができる。
　【００２９】
　また、換気動作では、図７に示すように、ファン４９を回転させることにより、換気ダクト５２に負圧が発生し、矢印ｃ１、ｃ２で示すように、壁１２と放熱ユニット１４との間の隙間６４側に吸気が生じるとともに、矢印ｃ３で示すように、放熱ユニット１４の吸気部４０にも吸気が生じる。この結果、浴室２内の湿気は、換気ダクト５２を換気通路６２として換気ユニット２０側に流れ、矢印ｄで示すように、排気部５４から外部に放出される。このとき、排気圧によって逆風ダンパ５６が開放状態になる。
　【００３０】
　これによって暖房時の湿気調整を行うことができ、洗濯物等の衣類乾燥時、過剰な湿気を外気に放出し、乾燥を促進させることができる。
　【００３１】
　なお、暖房における温度制御は、温度センサ１２１、１１３の検出温度に基づき、熱媒である温水ＨＷの温度をバーナ８２の燃焼制御によって所望の温度に設定する。即ち、温度センサ１２１の検出温度が例えば６０℃、温度センサ１１３の検出温度が例えば８０℃になるようにバーナ８２の燃焼を制御する。このバーナ８２の燃焼調整に加え、室温に応じたファン４４の回転数の調整によって室温を設定温度ないし所望の温度に制御することができる。
　【００３２】
　【発明の効果】
　以上説明したように、本発明によれば、次の効果が得られる。
　ａ　放熱ユニットから換気ユニットが独立して室外に設置されたことにより、両者の設置の自由度が高められ、壁内の筋交い等の補強部材を避けて換気通路を形成することができ、放熱ユニット又は換気ユニットの設置ないし施工の簡略化を図ることができる。
　ｂ　放熱ユニットと換気ユニットとを独立して設置できるので、暖房又は暖房換気等の機能に応じて所望の機器を選定することができる。
　ｃ　換気ユニットの換気通路を放熱ユニットの背面側に形成し、放熱ユニットの背面側に形成した隙間を通して換気を行うので、独立した換気口を設ける必要がなく、施工の容易化に寄与することができる。
　ｄ　換気ユニットの排気部に逆風ダンパを設けたので、逆風による室内換気の悪化を防止できる。
【図面の簡単な説明】
　【図１】
　本発明の室内暖房乾燥装置の実施の形態を示す系統図である。
　【図２】
　放熱ユニット及び換気ユニットの実施の形態を示す図である。
　【図３】
　放熱ユニット及び換気ユニットを示す分解斜視図である。
　【図４】
　取付板を示す平面図である。
　【図５】
　給湯・追焚経路を示す図である。
　【図６】
　暖房動作を示す図である。
　【図７】
　換気動作を示す図である。
　【符号の説明】
　２　浴室（室）
　６　給湯・追焚装置（熱源）
　１２　壁
　１４　放熱ユニット
　１８　循環路（管路）
　２０　換気ユニット
　３４　取付板（取付部材）
　４９　ファン
　５４　排気部
　５６　逆風ダンパ
　６２　換気通路
　６４　隙間